(57)【要約】【課題】クリップの選択からクリップ操作項目の決定までを一連の操作で行えるようにする。【解決手段】１または複数の操作方向に対する操作を行う第１の操作子と、操作内容の確定を行う第２の操作子とが一体とされた操作子を備える操作部１１２を備えた。また、記録部に記録された各クリップを構成する複数のフレームのうちの特定のフレームを、所定数のクリップの分だけ集めてクリップ一覧を生成するインターフェース部１０４を備えた。そして、インターフェース部１０４で生成されたクリップ一覧が表示された状態で、第１の操作子が操作された場合には、制御部１１１は第１の操作子の操作方向に基づいて操作対象のクリップを変更する制御を行い、第２の操作子が操作された場合には、クリップを編集するための項目が記されたメニューを表示させるメニュー表示指令信号を生成する。【選択図】図１
2008228061.tif 000002
【特許請求の範囲】
【請求項１】
１又は複数のフレームで構成される画像を１つのクリップとして記録し、記録された画像を再生する記録部を備えた記録再生装置において、
１または複数の操作方向に対する操作を行う第１の操作子と、操作内容の確定を行う第２の操作子とが一体とされた操作子を備える操作部と、
前記記録部に記録された各クリップを構成する複数のフレームのうちの特定のフレームを、所定数のクリップの分だけ集めてクリップ一覧を生成するインターフェース部と、
前記インターフェース部で生成された前記クリップ一覧が表示された状態で前記第１の操作子が操作された場合には、前記第１の操作子の操作方向に基づいて、操作対象のクリップを変更する制御を行い、前記第２の操作子が操作された場合には、前記クリップを編集するための項目が記されたメニューを表示させるメニュー表示指令信号を生成する制御部とを備えたことを特徴とする
記録再生装置。
【請求項２】
請求項１記載の記録再生装置において、
前記特定のフレームとは、前記クリップを構成する複数のフレームのうちの先頭のフレームであることを特徴とする
記録再生装置。
【請求項３】
請求項２記載の記録再生装置において、
前記クリップ一覧表示指令信号に基づいて生成されるクリップ一覧は、前記所定数のクリップの先頭フレームが縮小されたサムネイル画像の一覧であることを特徴とする
記録再生装置。
【請求項４】
請求項１記載の記録再生装置において、
前記制御部は、前記クリップ一覧表示指令信号に基づいて前記クリップの一覧が表示された状態で、前記第２の操作子が長押しされた場合には、前記操作対象のクリップを再生する制御を行うことを特徴とする
記録再生装置。
【請求項５】
請求項１記載の記録再生装置において、
前記クリップを編集するための項目の中には、前記クリップの再生を指示する項目が含まれており、前記第２の操作子への操作に基づいて前記メニュー一覧が表示される際には、前記再生を指示する項目が自動的に選択されることを特徴とする
記録再生装置。
【請求項６】
画像の撮像を行う撮像部と、前記撮像部で撮像開始から停止までの１つの期間に得られた画像を１つのクリップとして記録し、記録された画像を再生する記録部とを備えた撮像装置において、
１または複数の操作方向に対する操作を行う第１の操作子と、操作内容の確定を行う第２の操作子とが一体とされた操作子を備える操作部と、
前記記録部に記録された各クリップを構成する複数のフレームのうちの特定のフレームを、所定数のクリップの分だけ集めてクリップ一覧を生成するインターフェース部と、
前記インターフェース部で生成された前記クリップ一覧が表示された状態で前記第１の操作子が操作された場合には、前記第１の操作子の操作方向に基づいて、操作対象のクリップを変更する制御を行い、前記第２の操作子が操作された場合には、前記クリップを編集するための項目が記されたメニューを表示させるメニュー表示指令信号を生成する制御部とを備えたことを特徴とする
撮像装置。
【請求項７】
１又は複数のフレームで構成される画像を１つのクリップとして記録する記録部を備えた記録再生装置において、前記クリップの編集するための項目が記されたメニューを操作するメニュー操作方法であって、
前記記録部に記録された各クリップを構成する複数のフレームのうちの特定のフレームを、所定数のクリップの分だけ集めてクリップ一覧を生成し、
１または複数の操作方向に対する操作を行う第１の操作子を操作して前記クリップを選択し、
前記インターフェース部で生成された前記クリップ一覧が表示された状態で、操作内容の確定を行う第２の操作子が操作された場合には、前記クリップを編集するための項目が記されたメニューを表示させるメニュー表示指令信号を生成することを特徴とする
メニュー操作方法。
【発明の詳細な説明】
【技術分野】
【０００１】
本発明は、例えば十字形状の操作キーを備えたカメラ一体型記録再生装置に適用して好適な撮像装置、記録再生装置並びにそれらに適用されるメニュー操作方法に関する。
【背景技術】
【０００２】
近年では、テレビジョン放送で放映されるプログラムの撮影には、撮像部と記録部とを一体化した記録再生装置が用いられることが多くなっている。記録再生装置では、撮像部で撮影された映像は、映像信号として記録部に記録される。記録の開始や停止等の指示は、記録再生装置本体に設けられたボタン等の操作部を通して行われるものであり、記録の開始が指示されてから停止が指示されるまでの間の映像信号は、クリップと呼ばれる１つのファイルとして記録される。つまり、記録の開始及び停止の操作が複数回行われた場合には、記録部には複数のクリップが記録されることになる。
【０００３】
記録部としては、記録再生装置本体に着脱可能な外部記録媒体が用いられることが多く、近年では外部記録媒体のデータ収容容量が大幅に増えてきていることから、記録部に記録されるクリップの数も膨大なものになり易い。記録されたクリップを、テレビジョン放送のプログラムとして放映可能な状態にするには、クリップの取捨選択等の編集作業が必要となるが、記録部に記録された膨大な数のクリップの中から、目的のクリップを選択するには時間がかかってしまうという問題があった。
【０００４】
このため、編集作業を行う際には、各クリップの先頭フレームの画像等を縮小 して、サムネイルとして一覧表示させるということが行われている。このような表示を行うことで、目的のクリップを素早く見つけることが可能となり、作業効率を向上させることができる。
【０００５】
特許文献１には、サムネイル画像を用いてビデオデータを編集することについての開示がある。
【特許文献１】特開２００１−１９７４２６号公報
【発明の開示】
【発明が解決しようとする課題】
【０００６】
ところで、上述したようなサムネイル画像一覧の中から目的のクリップを検索、又は選択する際には、十字キー等の操作インターフェースが使用されることが多い。十字キーとは、上下左右の各方向に押し倒すことが可能な形状のキーであり、上下左右方向への押し倒すことにより、表示画面上のカーソルや選択枠を所望の方向に移動させることができるものである。
【０００７】
図１１には、十字キーＫＹ１０の構成例を示してある。図１１においては、キーの倒れる方向を、上から右回りにＸＵ、ＸＲ、ＸＤ、ＸＬとして示してある。十字キーＫＹ１０をＸＵ方向にキーを倒せば、表示画面上のカーソルや選択枠が上方向に移動し、以降同様に、ＸＲ方向に倒せば右方向に、ＸＤ方向に倒せば下方向に、ＸＬ方向に倒せば左方向に移動する。中央に示したＸＡの領域は、押し込む方向にキーを操作することを示す 。十字キーＫＹ１０の右隣には、メニューボタンＢＮ２０を配置してあり、メニューボタンＢＮ２０を押下することにより、クリップ操作メニューを起動させることができる。クリップ操作メニューとは、選択されたクリップに対する“ＰＬＡＹ ＣＬＩＰ（再生）”や“ＤＥＬＥＴＥ ＣＬＩＰ（削除）”等のアクションを一覧で表示したものである。
【０００８】
図１２には、このような十字キーを操作して目的のクリップを選択し、選択されたクリップに対する「再生」や「削除」等のアクションを決定するまでの処理例を示してある。以降の説明においては、これらのアクションをクリップ操作項目と称する。図１２において、まず、図示せぬ操作ボタンの押下等により、サムネイル画像の一覧表示が指示されると、記録再生装置の表示部（図示略）にサムネイル画像が一覧表示される（ステップＳ５１）。以降の説明においては、サムネイル画像が一覧で表示された画面を、サムネイル画面と称する。
【０００９】
次に、十字キーＫＹ１０の上下左右方向への操作により、サムネイル画像の選択枠を動かし、クリップ操作対象のクリップを選択すると（ステップＳ５２）、クリップ操作メニューを起動させるためにメニューボタンＢＮ２０を押下する（ステップＳ５３）。メニューボタンＢＮ２０が押下されると、クリップ操作メニューが起動する。クリップ操作メニューには、クリップ操作項目が縦方向の一列に表示されているものとする。
【００１０】
表示されたクリップ操作項目の中から、十字キーＫＹ１０の上下方向の操作により目的のクリップ操作項目を選択した後は（ステップＳ５４）、選択した項目を確定させるため、十字キーＫＹ１０のＸＡを押し込む操作を行う（ステップＳ５５）。選択された項目が、例えば“ＰＬＡＹ ＣＬＩＰ”であった場合には、選択されたクリップが再生され、“ＤＥＬＥＴＥ”であった場合には、選択されたクリップが 記録部から削除される。
【００１１】
このように、複数のクリップをサムネイル表示させ、クリップの選択を十字キーＫＹ１０の操作により行うことにより、編集作業をスムーズに行えるようになる。ところが、クリップ操作項目を選択する際には、十字キーＫＹ１０の他にメニューボタンＢＮ２０も操作する必要があり、手間がかかるという問題があった。このため、上述した操作を一連の流れの中で行えるような、より迅速な操作手法の実現が望まれていた。
【００１２】
本発明はかかる点に鑑みてなされたものであり、クリップの選択からクリップ操作項目の決定までを一連の操作で行えるようにすることを目的とする。
【課題を解決するための手段】
【００１３】
本発明は、撮像開始から停止までの１つの期間に得られた動画像を１つのクリップとして記録する記録部を備えた記録再生装置、あるいはその記録再生装置を備えた撮像装置において、１または複数の操作方向に対する操作を行う第１の操作子と、操作内容の確定を行う第２の操作子とが一体とされた操作子を備える操作部を備えた。また、記録部に記録された各クリップを構成する複数のフレームのうちの特定のフレームを、所定数のクリップの分だけ集めてクリップ一覧を生成するインターフェース部を備えた。そして、インターフェース部で生成されたクリップ一覧が表示された状態で、第１の操作子が操作された場合には、前記第１の操作子の操作方向に基づいて操作対象のクリップを変更する制御を行い、第２の操作子が操作された場合には、クリップを編集するための項目が記されたメニューを表示させるメニュー表示指令信号を生成するようにしたものである。
【００１４】
このようにしたことで、１つの操作子に対する操作のみで、操作対象のクリップの選択及びそのクリップに対する編集項目の決定を行うことができるようになる。
【発明の効果】
【００１５】
本発明によると、１つの操作子に対する操作のみで、操作対象のクリップの選択及びそのクリップに対する編集項目の決定を行うことができるようになるため、編集作業の作業効率が向上する。
【発明を実施するための最良の形態】
【００１６】
以下、本発明の一実施の形態を、図１〜図７を参照して説明する。図１は、本実施の形態によるカメラ一体型記録再生装置の内部構成例を示すブロック図である。図１に示す記録再生装置１０は、レンズ１００を含むレンズ群で構成されるレンズブロック１０１と、レンズブロック１０１のレンズ群を通して結像された被写体光を光電変換し、映像信号として出力する撮像部１０２を備える。撮像部１０２は、図示せぬアナログ・デジタル変換部（以降、Ａ／Ｄ変換部と称する）を備えており、その後段には、Ａ／Ｄ変換部から出力されたデジタル映像信号に対するデジタル信号処理を行う、信号処理部１０３を備えている。
【００１７】
信号処理部１０３では、ある輝度レベル以上の映像信号を圧縮するニー補正や、映像信号のレベルを予め設定されたγカーブに従って補正するγ補正、映像信号の信号レベルが所定範囲となるように制限するホワイトクリップ処理やブラッククリップ処理等を行う。
【００１８】
撮像部１０２による撮像や、信号処理部１０３での処理は、制御部１１１の制御に基づいて行われる。制御部１１１は、ＣＰＵ（Central Processing Unit）等で構成される中央制御装置であり、撮像部１０２や信号処理部１０３の他にも、伝送ライン１を介して接続された記録再生装置１０の各部に対する制御を行う。制御部１１１から各部に対して行われる制御は、制御部１１１に接続された操作部１１２に対する操作入力に基づいて行われる。操作部１１２は、各種ボタンや後述する十字キー等で構成される。
【００１９】
信号処理部１０３でデジタル信号処理された映像信号は、各部間で行われるデータのやりとりの仲介を行う、インターフェース部１０４に伝送される。インターフェース部１０４には、撮影の構図決定や焦点合わせ等を行うためのビューファインダ部１０５と、撮像部１０２によって撮影中の映像又は、後述する外部記録媒体に記録された映像の再生映像を表示する表示部１０６と、外部の映像表示装置等との接続端子である外部出力端子１０７と、映像信号の圧縮又は伸張を行う圧縮伸張処理部１０８を接続してある。また、圧縮伸張処理部１０８には、記録再生制御部１０９を接続してあり、記録再生制御部１０９を介して外部記録媒体１１０が接続されている。
【００２０】
ビューファインダ部１０５及び表示部１０６は、例えば液晶パネル等で構成され、撮影された映像のほかにも、後述するサムネイル画像の一覧表示や、映像の属性情報であるメタデータ等の表示も行う。
【００２１】
圧縮伸張処理部１０８では、撮像部１０２で撮像された映像信号を、例えばＭＰＥＧ（Moving Picture Experts Group）形式等の規格に基づいて圧縮する処理を行う。圧縮伸張処理部１０８で圧縮されたデータは、記録再生制御部１０９を介して外部記録媒体１１０に伝送され、外部記録媒体１１０に記録される。外部記録媒体１１０には、映像データがクリップとして記録される他、クリップの収録長や収録日時等のメタデータも記録される。圧縮伸張処理部１０８では、外部記録媒体１１０に記録された圧縮映像データを伸張する処理も行い、伸張した映像データは、インターフェース部１０４に伝送される。
【００２２】
また圧縮伸張処理部１０８では、操作部１１２を介してサムネイル画面の表示指示がされた場合には、制御部１１１から出力されたメニュー表示制御信号に基づいて外部記録媒体１１０に記録されたクリップを順次読み出して伸張処理を行い、各クリップの先頭フレームを静止画像としてインターフェース部１０４に出力する処理も行う。サムネイル画面に表示させるクリップの数が、例えば１２枚と設定されている場合には、１２枚の静止画像をインターフェース部１０４に送信する。
【００２３】
インターフェース部１０４では、各部間のやり取りの仲介を行う他、圧縮伸張処理部１０８から送られた、各クリップの先頭フレームの静止画像をスケーリングして例えば１２枚等のサムネイル画像とし、収録日時の古い順番に並べる処理や、各サムネイル画像と対応するメタデータとの紐付け処理も行う。
【００２４】
記録再生制御部１０９は、圧縮伸張処理部１０８で所定のフォーマットに圧縮された映像データを、外部記録媒体１１０に書き込む（記録する）処理及び、外部記録媒体１１０に記録された映像データを読み出して再生する制御を行う。
【００２５】
次に、図２を参照して、本例の記録再生装置１０において用いられる十字キーＫＹ１の構成例について説明する。図１１を参照して説明した、従来使用されている十字キーと同様の構造としてあり、上方向のＸＵ、右方向のＸＲ、下方向のＸＤ、左方向のＸＬそれぞれの方向に倒すことができる。また、ＸＡとして示された箇所においては、押し込む方向にキーを操作することが可能である。本例においては、ＸＵ，ＸＲ，ＸＤ，ＸＬの各方向への操作を行える操作子を第１の操作子、ＸＡとして示された操作子を第２の操作子としてある。
【００２６】
このような十字キーＫＹ１を用いて、クリップ編集を行う場合の処理例について、図３のフローチャートを参照して説明する。
【００２７】
図３において、まず、図示せぬ操作ボタンの押下等により、サムネイル画像の一覧表示が指示されると、記録再生装置１０のビューファインダ部１０５及び表示部１０６にサムネイル画像が一覧表示される（ステップＳ１）。ここで、図４を参照してサムネイル画面について説明しておく。
【００２８】
図４に示されたサムネイル画面には、左上端にクリップＣＬ１、以下右方向にクリップＣＬ２、クリップＣＬ３、のようにクリップが並んで表示されており、右下端のクリップＣＬ１２までの１２枚のクリップが表示されている。クリップは収録日時の古い順番に並べられており、収録日時が一番古いクリップはクリップＣＬ１で、最新のクリップはクリップＣＬ１２となる。各クリップの下端部であるＡＲ１には収録日時を表示するようにしてあり、クリップＣＬ１であれば“３０／ＮＯＶ １２：４６”のように表示してある。また図４においては、クリップＣＬ６の位置に選択枠ＦＲ１が表示されており、現在クリップＣＬ６が選択されていることを示している。
【００２９】
サムネイル画像が一覧で表示されている領域の下の領域には、選択されたクリップのより詳細なメタデータを表示するようにしてある。図４ではクリップＣＬ６が選択されているため、クリップＣＬ６の属性情報が表示されている。領域ＡＲ２にはクリップの名称を表示してあり、領域ＡＲ３には収録日時、領域ＡＲ４にはタイムコード、領域ＡＲ５にはクリップの収録長を示してある。クリップの選択枠ＦＲ１は、十字キーＫＹ１（図２参照）の操作により上下左右方向に移動させることが可能である。
【００３０】
図３のフローチャートに戻って説明を続けると、ステップＳ１で図４に示したようなサムネイル画面を表示させた後は、十字キーＫＹ１を上下左右方向に倒す操作を行うことで、クリップ操作を行いたい目的のクリップに選択枠ＦＲ１を合わせ、クリップを選択する（ステップＳ２）。
【００３１】
クリップが選択された状態で十字キーＫＹ１のＸＡを押し込む操作を行うと（ステップＳ３）クリップ操作メニューが表示される。そして、クリップ操作メニューが表示された状態で十字キーＫＹ１を上下方向に操作することにより、クリップ操作メニューの中から所望のクリップ操作項目を選択することができる（ステップＳ４）。クリップ選択項目が選択された状態で再び十字キーＫＹ１のＸＡ押し込み操作を行うと、選択されたクリップ操作項目が決定される（ステップＳ５）。
【００３２】
従来の操作においては、十字キーのＸＡ押し込み操作はクリップの再生動作と対応付けられており、この段階で十字キーのＸＡ押し込み操作を行うと、選択されたクリップが再生されていた。本発明では、十字キーＫＹ１のＸＡを押し込む操作をすることにより、クリップ操作メニューが起動する構成とした。なお、クリップ操作項目の具体的な内容については後述する。
【００３３】
次に、図５及び図６を参照して、十字キーＫＹ１の操作に伴う画面遷移の例について説明する。図５及び図６では、目的のクリップを選択して削除するまでの処理を示してある。図５（ａ）は、サムネイル画像が一覧で表示されたサムネイル画面を示したものであり、クリップＣＬ６の位置に選択枠ＦＲ１が合った状態を示している。この状態で、図５（ｂ）に示したように、十字キーＫＹ１を上（ＸＵ）下（ＸＤ）左（ＸＬ）右（ＸＲ）方向に倒す操作をすることにより、操作に連動して選択枠ＦＲ１がサムネイル画面上を移動する。
【００３４】
図５（ｃ）では、クリップＣＬ６の右隣のクリップＣＬ７に選択枠ＦＲ１が合っている様子が示されており、このクリップが目的のクリップであるとする。このように、選択枠ＦＲ１が目的のクリップ上に表示された状態で、図５（ｄ）に示されたように十字キーＫＹ１のＸＡを押し込む操作を行うことで、図５（ｅ）に示されるように、クリップ操作メニューＭＮ１がポップアップ表示される。図５（ｅ）に示した例では、クリップ操作メニュー起動時には、クリップ操作メニューＭＮ１の中の最上段に位置する“ＣＡＮＣＥＬ”にカーソルＣＳ１が合っている。つまり、クリップ操作メニューＭＮ１起動時には“ＣＡＮＣＥＬ”が自動的に選択される設定となっている。
【００３５】
図６を参照して引き続き説明を続けると、図５（ｅ）に示されたように、クリップ操作メニューＭＮ１が示された状態で、図６（ａ）に示されたように十字キーＫＹ１を上（ＸＵ）下（ＸＤ）方向に倒す操作を行うことにより、クリップ操作メニューＭＮ１上のカーソルＣＳ１が上下方向に移動する。ここではクリップの削除を行う場合に適用して説明を行っているため、クリップ操作メニューＭＮ１の最下段に示された“ＤＥＬＥＴＥ ＣＬＩＰ”にカーソルＣＳ１が合うように、十字キーＫＹ１をＸＤ方向に数回倒す操作を行う。
【００３６】
“ＤＥＬＥＴＥ ＣＬＩＰ”にカーソルＣＳ１が合った状態（図６（ｂ））で、図６（ｃ）に示されたように十字キーＫＹ１のＸＡを押し込む操作を行うと、選択されたクリップ操作項目（“ＤＥＬＥＴＥ ＣＬＩＰ”）が確定され、図６（ｄ）に示されたようなクリップ削除画面が表示される。クリップ削除画面では、画面下方の領域ＡＲ６に、削除操作を行ってよいか確認するためのメッセージが表示されるため、削除を実行したい場合には、“Ｄｅｌｅｔｅ”にカーソルＣＳ１を合わせて再度十字キーＫＹ１のＸＡ押し込み操作を行う。このような操作を行うことにより、目的のクリップであるクリップＣＬ７が、外部記録媒体１１０から削除される。
【００３７】
次に、図７のフローチャートを参照して、クリップ操作メニューＭＮ１の各項目を選択した場合の処理例について説明する。まず、十字キーＫＹ１の上下方向の操作により選択されて、ＸＡ押し込み操作により確定されたクリップ操作項目が、“ＣＡＮＣＥＬ”であるかの判断が行われ（ステップＳ１１）、“ＣＡＮＣＥＬ”であった場合には、起動したクリップ操作メニューＭＮ１が閉じられて非表示となる（ステップＳ１２）。
【００３８】
選択されたクリップ操作項目が“ＣＡＮＣＥＬ”でない場合には、“ＰＬＡＹ ＡＬＬ”であるか否かの判断がされ（ステップＳ１３）、選択された項目が“ＰＬＡＹ ＡＬＬ”であった場合には、選択されたクリップ以降のすべてのクリップの再生が行われる（ステップＳ１４）。つまり、選択されたクリップの先頭のフレームから再生が開始され、そのクリップの再生が終了すると次のクリップに移り、以降最後のクリップの最終フレームまで再生が行われる処理が行われる。図５に示したサムネイル画面において、例えばクリップＣＬ６が選択された状態で“ＰＬＡＹ ＡＬＬ”が選択されると、クリップＣＬ６から外部記録媒体１１０に記録された最終クリップ までのクリップにおけるすべてのフレームが再生されることになる。
【００３９】
選択されたクリップ操作項目が“ＰＬＡＹ ＡＬＬ”でない場合には、“ＰＬＡＹ ＣＬＩＰ”であるか否かの判断がされ（ステップＳ１５）、選択された項目が“ＰＬＡＹ ＣＬＩＰ”であった場合には、選択されたクリップのみが再生される（ステップＳ１６）。
【００４０】
選択されたクリップ操作項目が“ＰＬＡＹ ＣＬＩＰ”でない場合には、“ＤＩＳＰ ＣＬＩＰ ＩＮＦＯ”であるか否かの判断がされ（ステップＳ１７）、“ＤＩＳＰ ＣＬＩＰ ＩＮＦＯ”であった場合には、選択されたクリップのメタデータをより詳細に表示する。図４のサムネイル画面の下方の領域に表示したメタデータの他に、例えば“Ｆｕｌｌ ＨＤ”や“ＭＰＥＧ−２”等の収録画像フォーマットや、収録者の氏名、収録機材のＩＤ、収録場所等の情報が示される。
【００４１】
選択されたクリップ操作項目が“ＤＩＳＰ ＣＬＩＰ ＩＮＦＯ”でない場合には、“ＡＤＤ Ｏ．Ｋ ＭＡＲＫ”であるか否かの判断がされ（ステップＳ１９）、“ＡＤＤ Ｏ．Ｋ ＭＡＲＫ”であった場合には、選択したクリップに「Ｏ．Ｋクリップ属性」が与えられる（ステップＳ２０）。Ｏ．Ｋクリップ属性とは、動画記録中または記録終了後に、ユーザの操作に基づき任意のクリップに対して付与される識別情報のことであり、ユーザは、決定的なシーンを捉えたクリップや、是非とも採用したいシーンを含むクリップ等に対してＯ．Ｋクリップ属性を付与する。このような属性を付与することにより、編集時にそれらを一覧として表示させることなども可能となり、編集の作業効率が向上する。
【００４２】
選択されたクリップ操作項目が“ＡＤＤ Ｏ．Ｋ ＭＡＲＫ”でない場合には、“ＣＯＰＹ ＣＬＩＰ”であるか否かの判断がされ（ステップＳ２１）、“ＣＯＰＹ ＣＬＩＰ”であった場合には、選択されたクリップが複製される（ステップＳ２２）。選択されたクリップ操作項目が“ＣＯＰＹ ＣＬＩＰ”でない場合には、選択されたクリップ操作項目は残りの“ＤＥＬＥＴＥ ＣＬＩＰ”ということになり、選択されたクリップが削除される（ステップＳ２４）。なお、実際の判断処理の順番は、上述した順番に限定されるものではない。
【００４３】
このように構成したことにより、編集を行いたい目的のクリップの選択から実際の編集処理までを、十字キーＫＹ１のみの操作により行えるため、編集作業をより迅速に行えるようになる。
【００４４】
また、クリップ編集メニューを立ち上げるためのメニューボタンを必要としないため、製造コストの低減や、記録再生装置１０の小型化を図ることができる。
【００４５】
なお、ここまで説明した実施の形態では、指定した特定のクリップを再生したい場合は、クリップ操作メニューＭＮ１が表示された状態で十字キーＫＹ１を上下方向に操作して、クリップ操作メニューＭＮ１の中から“ＰＬＡＹ ＡＬＬ”又は“ＰＬＡＹ ＣＬＩＰ”を選択する操作を要する構成とした。しかし、クリップ操作項目の並び順はこれに限定されるものではなく、クリップ操作メニューＭＮ１の最上段にこれらの項目を割り当てることにより、クリップ操作メニューＭＮ１の中から再生の項目を選択する手順を省く構成としてもよい。この場合の処理例について、図８のフローチャートを参照して説明する。
【００４６】
図８において、まず図示せぬ操作ボタンの押下等により、サムネイル画像の一覧表示が指示されると、記録再生装置１０のビューファインダ部１０５及び表示部１０６にサムネイル画像が一覧表示される（ステップＳ３１）。次に、十字キーＫＹ１を上下左右方向に操作して目的のクリップを選択し（ステップＳ３２）、十字キーＫＹ１のＸＡ押し込み操作を行うと（ステップＳ３３）、クリップ操作メニューＭＮ１が起動する。立ち上がったクリップ操作メニューＭＮ１においては、“ＰＬＡＹ ＣＬＩＰ（又はＰＬＡＹ ＡＬＬ）”にカーソルＣＳ１が合っているため、この状態で再度十字キーＫＹ１のＸＡ押し込み操作を行うことで（ステップＳ３４）“ＰＬＡＹ ＣＬＩＰ”の操作が確定され、選択されたクリップが再生される（ステップＳ３５）。
【００４７】
もしくは、 十字キーＫＹ１のＸＡ長押し操作を行うことで、クリップの再生を行える構成としてもよい。この場合の処理例について、図９のフローチャートを参照して説明する。
【００４８】
図９において、まず図示せぬ操作ボタンの押下等により、サムネイル画像の一覧表示が指示されると、記録再生装置１０のビューファインダ部１０５及び表示部１０６にサムネイル画像が一覧表示される（ステップＳ４１）。そして、十字キーＫＹ１を上下左右方向に操作して目的のクリップを選択（ステップＳ４２）した段階で、十字キーＫＹ１のＸＡ長押し操作を行うと（ステップＳ４３）、選択されたクリップが再生される（ステップＳ４４）。
【００４９】
このように構成すれば、クリップの再生操作の操作性をより向上させることが可能となる。
【００５０】
また、上述した実施の形態では、十字キーＫＹ１についての説明のみを行ったが、図１０に示されたように、十字キーＫＹ１の他に、その隣等に再生コントロールボタン群ＢＮ１０を設けるようにしてもよい。再生コントロールボタン群ＢＮ１０は、左上端より右方向に、逆方向への高速再生操作を行うためのＲＥＶボタンＢＮ１、再生操作を行うためのＰＬＹボタンＢＮ２、順方向への高速再生操作を行うためのＦＷＤボタンＢＮ３、下段左端に移り、前のクリップへ移動するためのＰＲＶボタンＢＮ４、再生を停止するためのＳＴＰボタンＢＮ５、次のクリップへ移動するためのＮＸＴボタンＢＮ６等で構成することができる。
【００５１】
このように構成する場合には、例えば再生コントロールボタン群ＢＮ１０のＰＬＹボタンＢＮ２には“ＰＬＡＹ ＡＬＬ”の機能を割り当て、十字キーＫＹ１による操作により表示されるクリップ操作メニューＭＮ１の最上段には“ＰＬＡＹ ＣＬＩＰ”が表示されるように設定することで、再生操作における操作性をより向上させることも可能となる。
【００５２】
また、上述した実施の形態では、メニューボタンＢＮ２０を削除した例を説明したが、メニューボタンＢＮ２０は従来どおり備えさせておき、クリップ操作メニューの操作時にメニューボタンＢＮ２０を使用するパターンと、メニューボタンＢＮ２０は使用せずに十字キーＫＹ１のみで操作が行えるパターンとを好みに応じて切り替えられる構成としてもよい。
【００５３】
また、上述した実施の形態では、本発明を記録再生装置に適用した例を説明したが、ビデオカメラに接続して使用する撮像装置や、撮像装置等にも適用可能である。
【００５４】
また、上述した実施の形態では、目的のクリップの選択やクリップ操作項目の選択に、十字キーを用いた例を挙げて説明したが、中央部分を押し込み操作できる形状であれば、操作方向が上下方向や左右方向のみに限定されたキーや、反対に操作方向が４つ以上であるキー等にも適用可能である。また、このような要件を満たしていれば、キーの形状は四角形や円形等どのような形状のものであっても適用可能である。
【図面の簡単な説明】
【００５５】
【図１】本発明の一実施の形態による記録再生装置の内部構成例を示すブロック図である。
【図２】本発明の一実施の形態による十字キーの構成例を示す説明図である。
【図３】本発明の一実施の形態によるクリップ操作項目選択処理例を示すフローチャートである。
【図４】本発明の一実施の形態によるサムネイル画像一覧表示の例を示す説明図である。
【図５】本発明の一実施の形態による十字キーの操作に伴う画面遷移の例を示す説明図である。
【図６】本発明の一実施の形態による十字キーの操作に伴う画面遷移の例を示す説明図である。
【図７】本発明の一実施の形態によるクリップ操作処理例を示すフローチャートである。
【図８】本発明の他の実施の形態によるクリップ操作項目選択処理例を示すフローチャートである。
【図９】本発明の他の実施の形態によるクリップ操作項目選択処理例を示すフローチャートである。
【図１０】本発明の他の実施の形態による操作部の構成例を示す説明図である。
【図１１】従来の十字キーの構成例を示す説明図である。
【図１２】従来のクリップ操作項目選択処理例を示すフローチャートである。
【符号の説明】
【００５６】
１０…記録再生装置、１００…レンズ、１０１…レンズブロック、１０２…撮像部、１０３…信号処理部、１０４…インターフェース部、１０５…ビューファインダ部、１０６…表示部、１０７…外部出力端子、１０８…圧縮伸張処理部、１０９…記録再生制御部、１１０…外部記録媒体、１１１…制御部、１１２…操作部、ＫＹ１…十字キー
【図１】
2008228061.tif 000003
【図２】
2008228061.tif 000004
【図３】
2008228061.tif 000005
【図４】
2008228061.tif 000006
【図５】
2008228061.tif 000007
【図６】
2008228061.tif 000008
【図７】
2008228061.tif 000009
【図８】
2008228061.tif 000010
【図９】
2008228061.tif 000011
【図１０】
2008228061.tif 000012
【図１１】
2008228061.tif 000013
【図１２】
2008228061.tif 000014